(57)【特許請求の範囲】
【請求項１】
ランプの光を反射させる内面を鏡面状とした反射板と、この反射板の天板部に装着されるメタルハライドランプ用ソケットとを有し、このメタルハライドランプ用ソケットは既設のダウンライトのランプ用ソケットと取り替えられて装着され、かつ、前記反射板及び前記メタルハライドランプ用ソケットは、それらの全体が既設のダウンライトの固定反射板の内側に収まるように装着されるダウンライト。
【請求項２】
前記反射板は、その横断面形状が正１６角形の笠状である請求項１記載のダウンライト。
【請求項３】
前記反射板の内面が、それぞれ傾斜角度の異なる上下２段の傾斜部から形成されている請求項１又は２に記載のダウンライト。
【発明の詳細な説明】
【０００１】
【発明の属する技術分野】
本発明は、建屋の天井に埋め込まれて設置され下方の床面を照明するダウンライトに関する。
【０００２】
【従来の技術】
一般的にダウンライトは、ダウンライト本体と、同本体の上面に設けられたランプ用ソケットと、同本体の開口部内に固定された固定反射板と、ダウンライト点灯のための専用安定器等で構成され、建屋の天井に埋設して設置されている。一般の店舗等では、建屋の構造やデザイン性を重視して、このようなダウンライトを使用する場合が多い。
【０００３】
【発明が解決しようとする課題】
しかし、従来は、必要照度を確保するためにダウンライトの設置台数が多くなり、また、照明源として消費電力の大きい水銀ランプを使用している場合が多いので消費電力量が大きくなり、ランニングコストが高くなるという問題があった。さらに、消費電力量が大きくなるとランプからの発熱量も必然的に大きくなるので、建屋内の空調効率が悪くなるという問題もあった。また、これらの問題を解決するために、ダウンライトを消費電力の小さい節電タイプのものに変更しようとすると、以下のような問題があった。
【０００４】
（１）消費電力の小さいダウンライトはその本体自体も小さいので、既設のダウンライトの埋設用孔には取り付けることができず、天井の張り替えが必要となる。
【０００５】
（２）消費電力の小さいダウンライトは照度も小さいため、必要照度を確保するにはダウンライトの数が多く必要で、やはり天井の改装が伴う。
【０００６】
このように、ダウンライトを節電タイプのものに取り替えるためには、大掛かりな天井等の改装工事が必要であった。
【０００７】
そこで、本発明が解決しようとする課題は、天井を改装することなく、既設のダウンライトを利用して取り付けることのできる節電タイプのダウンライトを提供することにある。
【０００８】
【課題を解決するための手段】
上記課題を解決するために、本発明のダウンライトは、ランプの光を反射させる内面を鏡面状とした反射板と、この反射板の天板部に装着されるメタルハライドランプ用ソケットとを有し、このメタルハライドランプ用ソケットは既設のダウンライトのランプ用ソケットと取り替えられて装着され、かつ、前記反射板及び前記メタルハライドランプ用ソケットは、それらの全体が既設のダウンライトの固定反射板の内側に収まるように装着されることを特徴とする。
【０００９】
本発明のダウンライトにおいて、反射板は、その横断面形状が正１６角形の笠状とすることが好ましい。また、反射板の内面は、それぞれ傾斜角度の異なる上下２段の傾斜部から形成することが好ましい。
【００１０】
【発明の実施の形態】
以下、本発明の実施の形態を図面に示す実施例に基づいて説明する。
【００１１】
図１は、本発明のダウンライトを既設のダウンライトを利用して取り付けた状態を示す概略縦断面図である。同図に示すダウンライトは、ランプの光を反射させる反射板１と、反射板１の天板部１ａに装着されているメタルハライドランプ用ソケット２と、メタルハライドランプ用ソケット２に装着されているメタルハライドランプ３を備えている。そしてこれらの部材は、既設のダウンライトの本体４の開口部に固定されている固定反射板５の内側に収まるように装着されている。
【００１２】
反射板１は、メタルハライドランプ３の上端を挿通させる取付孔を設けた天板部１ａと、この天板部１ａの外縁に接続され所定の傾斜角を有する第１傾斜部１ｂと、この第１傾斜部１ｂの外縁に接続され第１の傾斜部１ｂより急な傾斜角を有する第２傾斜部１ｃとから構成されており、全体としては、メタルハライドランプ用ソケット２に装着されたメタルハライドランプ３を上方から覆うような、横断面形状が正１６角形の笠状となっている。反射板１の素材は純度９９％のアルミニウムであり、その内面は、鏡面状の反射面となっている。この反射面は、アルミニウムの表面にチタン・シリコンをコーティングすることによって鏡面状としたもので、全反射率９５％程度の高い反射率を呈するように設計されている。ここで、反射板１の形状は、既設のダウンライトの固定反射板５の開口部の内径及び高さに応じて適宜設計されるが、反射板１の第１傾斜部１ｂ及び第２傾斜部１ｃの傾斜角度は、既設のダウンライトの固定反射板５の開口部の内径に合わせて最も反射率が高くなるように設定される。また、反射板１を上述のとおり横断面形状が正１６角形の笠状とすることで、反射率を高くすることができる。
【００１３】
メタルハライドランプ用ソケット２は、その下端にメタルハライドランプ３を装着するための差し込み式のソケット端子２ａを有している。このソケット端子２ａは、反射板１の天板部１ａ上に載置され、この状態で、天板部１ａの下側からメタルハライドランプ３を差し込むことによって、これを装着するようにしている。また、ソケット端子２ａには電気を供給するリード線２ｂが接続され、このリード線２ｂの途中には図示しない安定器が接続されている。メタルハライドランプ用ソケット２の高さは、メタルハライドランプ３による照明範囲が所望の範囲となるように、既設のダウンライトの固定反射板５の開口部の高さや構造に合わせて設定される。
【００１４】
次に、本発明のダウンライトを既設のダウンライトの本体に取り付ける方法について説明する。
【００１５】
図２は、既設のダウンライトを示す概略縦断面図である。同図において既設のダウンライトは、ダウンライト本体４と、同本体４の開口部内に固定された固定反射板５と、同本体４の上面に設けられたランプ用ソケット６と、ランプ用ソケット６に装着されたランプ（水銀ランプ）７とからなる。
【００１６】
この既設のダウンライトを利用して本発明のダウンライトを取り付ける手順は以下のとおりである。
【００１７】
（１）ダウンライト本体４にネジ等で固定されているランプ用ソケット６とランプ７を取り外す（図３参照）。
【００１８】
（２）ランプ用ソケット６を取り外して残った孔をそのまま利用して新たにメタルハライドランプ用ソケット２をダウンライト本体４の上部から差し込み、ランプ用ソケット６を固定していたネジ穴を利用して固定する（図１、図４参照）。
【００１９】
（３）ダウンライト本体４の開口部に固定されている固定反射板５の内側に反射板１を入れ、その天板部１ａにメタルハライドランプ用ソケット２をネジ等で固定する（図１、図４参照）。
【００２０】
（４）メタルハライドランプ３をメタルハライドランプ用ソケット２のソケット端子２ａに差し込み装着する（図１、図４参照）。
【００２１】
（５）図示しない安定器の配線をリード線２ｂに結線する。
【００２２】
【発明の効果】
本発明のダウンライトは、以下の効果を奏する
（１）既設のダウンライトの本体をそのまま利用して取り付けるので、天井の改装工事の必要がなく、内装のイメージもそのまま維持できる。
【００２３】
（２）消費電力の小さいメタルハライドランプを使用するので、従来の水銀ランプを使用したダウンライトに比べて大幅に使用電力量を削減できる。
【００２４】
（３）内面を鏡面状とした反射板を使用するので、消費電力の小さなランプで照度を現状維持できる。さらにランプの小型化と反射板の熱反射作用で従来のダウンライトよりも発熱量が減少し、建屋内の空調効率がよくなる。
【図面の簡単な説明】
【図１】本発明のダウンライトを既設のダウンライトを利用して取り付けた状態を示す概略縦断面図である
【図２】既設のダウンライトを示す概略縦断面図である。
【図３】本発明のダウンライトの取り付け方法を示す概略縦断面図であって、既設のダウンライトのランプ用ソケットとランプを取り外した状態を示す図である。
【図４】本発明のダウンライトの取り付け方法を示す概略縦断面図であって、既設のダウンライトの本体に本発明のダウンライトの各部材を取り付ける過程を示す図である。
【符号の説明】
１  反射板
２  メタルハライドランプ用ソケット
３  メタルハライドランプ
４  既設のダウンライトの本体
５  既設のダウンライトの固定反射板
６  既設のダウンライトのランプ用ソケット
７  既設のダウンライトのランプ
【図１】
0004005790.tif 000002
【図２】
0004005790.tif 000003
【図３】
0004005790.tif 000004
【図４】
0004005790.tif 000005